(57)【特許請求の範囲】
【請求項１】
端子金具を挿入可能なキャビティを有するハウジング本体と、
前記ハウジング本体とは別体に設けられ、前記ハウジング本体の前面に配置されて前記キャビティと連通する端子挿入孔を有するとともに、この端子挿入孔の内面に撓み可能に突出するランスを有し、このランスが前記端子挿入孔内に挿入された前記端子金具を抜け止め係止するようになっているランスハウジングと、
前記ランスハウジングとは別体に設けられ、前記ランスハウジングの前面に配置されて前記端子金具と係止状態にある前記ランスの撓み空間内に進入する端子係止部を有するリテーナとを備え、
前記リテーナには、突部が後方に突出して設けられ、前記ランスハウジングの前面には、前記突部を受ける受孔が設けられており、前記受孔内に前記突部が挿入されることにより、前記ランスハウジングが前記リテーナに対して位置決めされることを特徴とするコネクタ。
【請求項２】
前記ハウジング本体の前面には前記突部に適合する挿入孔が設けられており、前記リテーナの組み付けに伴い、前記突部が前記ランスハウジングを貫通するとともに、前記突部の先端部が前記挿入孔内に嵌合されることを特徴とする請求項１に記載のコネクタ。
【請求項３】
前記リテーナは、前記ランスの撓み動作を許容して前記端子金具の前記キャビティへの挿抜を許容する仮係止状態と、この仮係止状態から前記ランスハウジング側へ向けて移動され、前記端子係止部によって前記ランスの撓み動作を規制すると共に、前記キャビティ内に挿入された前記端子金具の抜け止めをなす本係止状態とに変位可能とされ、
前記リテーナが仮係止状態と本係止状態のいずれの状態のときにも、前記突部の先端部が前記挿入孔内に嵌合されることを特徴とする請求項２に記載のコネクタ。
【請求項４】
前記突部は高さ方向に延びる部分と幅方向に延びる部分とを有し、前記突部と前記リテーナの本体部分を挟んで背中合わせとなる位置にはリブが設けられていることを特徴とする請求項１ないし請求項３のいずれか１項に規制のコネクタ。
【請求項５】
前記突部は、断面十字形をなし、前記リテーナの後面の中央部に設けられていることを特徴とする請求項１ないし請求項４のいずれか１項に記載のコネクタ。
【発明の詳細な説明】
【技術分野】
【０００１】
本発明は、コネクタに関する。
【背景技術】
【０００２】
特許文献１には、リテーナを備えたコネクタが開示されている。これは、キャビティを有するとともにキャビティの内面に撓み可能に突出するランスを有するコネクタハウジングと、キャビティ内に挿入される端子金具と、端子係止部を有するリテーナとからなり、リテーナがコネクタハウジングの前面に配置されて、端子係止部が端子金具と係止状態にあるランスの撓み空間内に進入することにより、ランスの撓み動作が規制されて、端子金具が実質的に二重係止される構成となっている。コネクタハウジングの前面にはガイド部が突出して設けられ、リテーナには嵌合部が貫通して設けられており、リテーナの組み付けに伴ってガイド部が嵌合部内に挿入されるようになっている。
【特許文献１】特開平９−１６１８７５号公報
【発明の開示】
【発明が解決しようとする課題】
【０００３】
ところで、コネクタが多極になると、コネクタハウジングを成形する際に樹脂の流動性が低下し、小型のランスなどを含むコネクタハウジングを一体として成形し難いという事情がある。そのため、コネクタハウジングを前後で分断して、キャビティの後半部をハウジング本体、キャビティの前半部をランス付きのランスハウジングとし、夫々を切り離して成形することが求められる場合がある。しかし、このようにランスハウジングをハウジング本体から切り離した場合に、上記のガイド部と嵌合部とを利用することによってランスハウジングとリテーナの双方の位置決めをハウジング本体で行うとすると、ランスハウジングとリテーナの双方の位置関係が正確に定まらず、端子係止部がランスの撓み空間内に進入する動作が規制されて、リテーナの本来的機能を発揮できないおそれがある。
【０００４】
本発明は上記のような事情に基づいて完成されたものであって、ハウジング本体とランスハウジングが別体で設けられる場合に、リテーナの本来的機能を発揮できるようにすることを目的とする。
【課題を解決するための手段】
【０００５】
上記の目的を達成するための手段として、請求項１の発明は、端子金具を挿入可能なキャビティを有するハウジング本体と、前記ハウジング本体とは別体に設けられ、前記ハウジング本体の前面に配置されて前記キャビティと連通する端子挿入孔を有するとともに、この端子挿入孔の内面に撓み可能に突出するランスを有し、このランスが前記端子挿入孔内に挿入された前記端子金具を抜け止め係止するようになっているランスハウジングと、前記ランスハウジングとは別体に設けられ、前記ランスハウジングの前面に配置されて前記端子金具と係止状態にある前記ランスの撓み空間に進入する端子係止部を有するリテーナとを備え、前記リテーナには、突部が後方に突出して設けられ、前記ランスハウジングの前面には、前記突部を受ける受孔が設けられており、前記受孔内に前記突部が挿入されることにより、前記ランスハウジングが前記リテーナに対して位置決めされる構成としたところに特徴を有する。
【０００６】
請求項２の発明は、請求項１に記載のものにおいて、前記ハウジング本体の前面には前記突部に適合する挿入孔が設けられており、前記リテーナの組み付けに伴い、前記突部が前記ランスハウジングを貫通するとともに、前記突部の先端部が前記挿入孔内に嵌合されるところに特徴を有する。
【０００７】
請求項３の発明は、請求項１または請求項２に記載のものにおいて、前記リテーナは、前記ランスの撓み動作を許容して前記端子金具の前記キャビティへの挿抜を許容する仮係止状態と、この仮係止状態から前記ランスハウジング側へ向けて移動され、前記端子係止部によって前記ランスの撓み動作を規制すると共に、前記キャビティ内に挿入された前記端子金具の抜け止めをなす本係止状態とに変位可能とされ、前記リテーナが仮係止状態と本係止状態のいずれの状態のときにも、前記突部の先端部が前記挿入孔内に嵌合されるところに特徴を有する。
【０００８】
請求項４の発明は、請求項１ないし請求項３のいずれかに記載のものにおいて、前記突部は高さ方向に延びる部分と幅方向に延びる部分とを有し、前記突部と前記リテーナの本体部分を挟んで背中合わせとなる位置にはリブが設けられているところに特徴を有する。
【０００９】
請求項５の発明は、請求項１ないし請求項４のいずれかに記載のものにおいて、前記突部は、断面十字形をなし、前記リテーナの後面の中央部に設けられているところに特徴を有する。
【発明の効果】
【００１０】
＜請求項１の発明＞
リテーナに突部が設けられ、ランスハウジングに受孔が設けられており、受孔内に突部が挿入されることにより、ランスハウジングがリテーナに対して位置決めされるから、ランスハウジングとリテーナの双方の位置関係が正確に定まり、リテーナの本来的機能を正しく発揮させることができる。
【００１１】
＜請求項２の発明＞
突部がランスハウジングを貫通し、突部の先端部が挿入孔内に嵌合されるから、ランスハウジング及びハウジング本体と、突部との係合代が増えて、リテーナのがた付きが抑えられる。また、リテーナ、ランスハウジング、ハウジング本体の３点が正規の位置に位置決めされる。
【００１２】
＜請求項３の発明＞
リテーナが本係止状態のみならず仮係止状態でもがた付きなく安定する。そして、リテーナが仮係止状態から本係止状態へ移動するときに、突部が挿入孔の孔縁に引っ掛かりを生じることがなく、突部が挿入孔にスムーズに挿入される。
【００１３】
＜請求項４の発明＞
突部は高さ方向に延びる部分と幅方向に延びる部分とを有し、突部とリテーナの本体部分を挟んで背中合わせとなる位置にはリブが設けられているから、スペースの有効活用を図ることができる。
【００１４】
＜請求項５の発明＞
突部がリテーナの後面の中央部に設けられているから、突部がリテーナの後面の広い範囲に亘って設けられている場合に比べ、リテーナの有効スペースが減少するのを必要最小限にくい止めることができる。また、突部が断面十字形をなすことにより、強度を確保できるとともに、幅方向及び高さ方向のがたを確実に抑えることができ、突部の軸周りにランスハウジングが揺動するのを阻止できる。
【発明を実施するための最良の形態】
【００１５】
＜実施形態１＞
本発明の実施形態１を図１ないし図１７によって説明する。本実施形態のコネクタは、相手側の雌コネクタ１００と嵌合可能な雄コネクタ１０として構成され、ハウジング本体２０、ランスハウジング５０、リテーナ７０、及び雄端子金具９０を備えて構成される。ハウジング本体２０、ランスハウジング５０、及びリテーナ７０は合成樹脂製であり、雄端子金具９０は導電金属製である。なお、以下の説明において前後方向については、相手側の雌コネクタ１００との嵌合面側を前方とし、上下方向については、図１を基準とする。
【００１６】
ハウジング本体２０はランスハウジング５０とともにコネクタハウジングを構成するものであって、図２及び図７に示すように、雄端子金具９０を収容可能な複数のキャビティ２１を有する端子収容部２２と、端子収容部２２の前面周縁から前方へ突出する横長筒状のフード部２３とからなる。フード部２３内には雄端子金具９０のタブ９１が突出状態で配置され、フード部２３の上下両壁の外面には、相手側の雌コネクタ１００との嵌合操作によってカム作用を発揮する上下一対のカムフォロワ２４が突出して設けられている。また、ハウジング本体２０の幅方向中央部には、上側のカムフォロワ２４の後方に、図示しないブラケットに係止可能なステーロック部２５が突出して設けられている。
【００１７】
端子収容部２２の幅方向両端部には、大型の雄端子金具９０を収容可能な大キャビティ２６が設けられている。大キャビティ２６は上下方向（高さ方向）に一対ずつ並んで配置され、その内面前端に、上下方向に撓み可能なランス２７が突出して形成されている。
【００１８】
また、端子収容部２２の幅方向中間部は、その前面が幅方向両端部に位置する大キャビティ２６の前面より一段奥側へ引っ込んで配置されており、幅方向両端部の両側内面との間に、正面視方形状をなすランスハウジング５０の組付空間２８が形成されている。そして、端子収容部２２の幅方向中間部には、小型の雄端子金具９０を収容可能な複数の小キャビティ２９が上下方向及び幅方向に整列して配置されている。各小キャビティ２９は、上下方向中央部を挟んだ上下に二段ずつ分かれて配置され、大キャビティ２６と違ってその内面にランス２７は設けられていない。
【００１９】
端子収容部２２の組付空間２８には、その上下両壁の内面における複数位置に、ランスハウジング５０を抜け止めする爪状のランスハウジングロック部３０が突設されている。また、端子収容部２２の幅方向中間部の前面には、ハウジング本体２０の幅方向及び上下方向のほぼ中央部と対応する位置に、有底の挿入孔３１が凹設されている。挿入孔３１は、正面視十字形をなし、上下方向に長く延びる縦溝３２と幅方向（左右方向）に短く延びる横溝３３とからなり、この縦溝３２と横溝３３が上下方向中央より少し上方で互いに略直角に交差連通している。
【００２０】
端子収容部２２の後部には、図３に示すように、ひけを防止するべく肉抜き部３４が設けられており、この肉抜き部３４によって円筒状、詳しくは真円筒状をなす複数のシールタワー部３５が後方に突出する形態で設けられている。シールタワー部３５は、各キャビティ２１と対応する位置毎に個別に設けられ、キャビティ２１の周囲を円形に取り囲む形態をなしている。シールタワー部３５の内周面には、雄端子金具９０に接続された電線９５の端末に嵌着されるシール栓９６が密着しており、これにてシールタワー部３５内、ひいてはハウジング本体２０内が水密状にシールされるようになっている。
【００２１】
また、ハウジング本体２０の後部には、各シールタワー部３５を一括して包囲する横長筒状の周壁部３６（外壁部）が設けられ、さらに、この周壁部３６の内側に複数のリブ３７が設けられている。周壁部３６は、ハウジング本体２０の外壁を構成しており、フード部２３とは反対側となる後方に開放されている。  
シールタワー部３５は、小キャビティ２９と対応する小シールタワー部３８（内壁部）と、大キャビティ２６と対応する大シールタワー部３９とからなる。小シールタワー部３８は、幅方向中間部に位置するとともに上下方向中央部を挟んだ上下に二段ずつで、かつ幅方向中央部を挟んだ左右に分割して配置され、大シールタワー部３９は、幅方向両端部に位置するとともに上下方向に一対ずつ配置されている。小シールタワー部３８の一部は、共有の薄壁４０を介して幅方向で一体的に融合されている。そして、上側二段の各小シールタワー部３８の上下方向中央と上側の大シールタワー部３９の円中心は、上下方向についてほぼ同じ位置にある。一方、下側二段の各小シールタワー部３８の上下方向中央と下側の大シールタワー部３９の円中心は上下方向について互いに位置ずれしており、下側の大シールタワー部３９の円中心が下側二段の各小シールタワー部３８の上下方向中央より上方に位置している。
【００２２】
また、小シールタワー部３８の前後長さは周壁部３６及びリブ３７の前後長さとほぼ同じであり、かつ、小シールタワー部３８の前後両端位置は周壁部３６及びリブ３７の前後両端位置とほぼ同じ位置に揃えられ、小シールタワー部３８の後面は周壁部３６及びリブ３７の後面とともにハウジング本体２０の後面を構成する。一方、大シールタワー部３９の前端位置は小シールタワー部３８の前端位置とほぼ同じ位置に揃えられているが、大シールタワー部３９の後端位置は小シールタワーの後端位置より後方へ突出した位置に配置されている。小シールタワー部３８の厚さは、大シールタワー部３９の厚さより小さく、かつ周壁部３６の厚さ及びリブ３７（後述する外側リブ４１）の最小径より小さくなっている。
【００２３】
リブ３７は、周壁部３６の内面間に全体として格子状に架設され、周壁部３６の内面とシールタワー部３５の外面との間に架け渡される外側リブ４１と、周壁部３６の上下方向中央部を幅方向に横断して周壁部３６の両側内面間に架け渡される幹線リブ４２と、幹線リブ４２の外面とシールタワー部３５の外面との間に架け渡される内側リブ４３と、隣接するシールタワー部３５同士を連結する連結リブ４４とからなる。  
外側リブ４１は、周壁部３６との連結部位では太く、シールタワー部３５との連結部位では細く形成されている。詳しくは外側リブ４１は、周壁部３６との連結位置からシールタワー部３５側へ向かって徐々に先細りとなるテーパ部４５と、テーパ部４５の先端（先細り端）からシールタワー部３５にかけて直線状に延びるストレート部４６とからなり、テーパ部４５の両側面からストレート部４６の両側面へと鈍角に交差して屈曲する形態となっている。また、外側リブ４１は、周壁部３６の上下両壁とこれに対向するシールタワー部３５との間に位置して上下方向に延出されるとともに、幅方向に所定間隔をあけてシールタワー部３５の径方向外方（接線直交方向）に配置されている。そして、外側リブ４１の最大径（周壁部３６との連結部位におけるテーパ部４５の太さ）は他のリブ４２，４３，４４に比べて太くなっており、外側リブ４１の最小径（ストレート部４６の太さ）は内側リブ４３及び連結リブ４４とほぼ同じ太さに設定されている。
【００２４】
幹線リブ４２は、周壁部３６の両側内面から上下の両大シールタワー部３９の間を幅方向に直線状に横切って配置される第一幹線リブ４７と、上下二分割された各小シールタワー部３８の間を幅方向に直線状に横切って配置される第二幹線リブ４８と、第一幹線リブ４７から第二幹線リブ４８にかけて下り勾配で直線状に延びる第三幹線リブ４９とからなる。これら第一幹線リブ４７、第二幹線リブ４８、及び第三幹線リブ４９は、いずれも同じ太さで構成され、外側リブ４１の最大径より少し細いが外側リブ４１の最小径よりは太く形成されている。  
ここで、周壁部３６の両側外方にはハウジング本体２０を成形する際に溶融樹脂が射出されるゲート（図示せず）が設置されているが、上記の幹線リブ４２はこのゲートの近くに位置し、ゲートから射出される溶融樹脂をその射出方向に流動可能な形態となっている。
【００２５】
内側リブ４３は、第二幹線リブ４８とこれに対向する小シールタワー部３８との間、及び第一幹線リブ４７とこれに対向する大シールタワー部３９との間に位置して上下方向に延出されるとともに、幅方向に所定間隔（外側リブ４１と同じ間隔）をあけて複数配置され、かつ、第二幹線リブ４８を挟んで上下対称に配置されている。そして、内側リブ４３はシールタワー部３５の径方向外方に配置され、シールタワー部３５の円中心を通る直線上にこの内側リブ４３と外側リブ４１が位置する設定となっている。つまり、内側リブ４３と外側リブ４１はシールタワー部３５を介して周壁部３６内を上下方向に縦断する形態であって、内側リブ４３と幹線リブ４２は略直角に交差連結されている。
【００２６】
連結リブ４４は、互いに隣接するシールタワー部３５のうち薄壁４０を介さずに離れて位置するもの同士の間に架け渡される形態であって、この隣接するシールタワー部３５の離間距離に応じた長さをもっている。そして、連結リブ４４は、互いに隣接するシールタワー部３５の円中心を結ぶ直線上に位置しており、シールタワー部３５の外周に対してその接線方向と略直角に交差連結されるようになっている。
【００２７】
互いに隣接する小シールタワー部３８同士は幅方向に並列しており、したがって各小シールタワー部３８間に架設される連結リブ４４は幅方向に沿って水平に配置されることとなる。この水平に配置される連結リブ４４のうちで延出長さの長いものは途中で内側リブ４３と略直角に交差連結されている。上側二段の小シールタワー部３８のうち幅方向両端に位置する小シールタワー部３８と上側の大シールタワー部３９は互いの円中心が上下方向で位置ずれしており、したがってこの上側二段の小シールタワー部３８と上側の大シールタワー部３９との間に架設される連結リブ４４は水平方向に対して傾斜して配置されている。一方、下側二段の小シールタワー部３８のうち、幹線リブ４２の直下に位置し、かつ幅方向両端に位置する小シールタワー部３８と下側の大シールタワー部３９との間に架設される連結リブ４４は、該小シールタワー部３８の円中心から下側の大シールタワー部３９の円中心にかけて僅かに上り勾配で傾斜して配置されている。また、最下段の小シールタワー部３８は大シールタワー部３９との間に架設される連結リブ４４を有していない。
なお、図１７に示すように、相手側の雌コネクタ１００の雌コネクタハウジング１０１の後面にも、上記と同様に、シールタワー部３５と周壁部３６が設けられるとともに、テーパ部４５及びストレート部４６を有する外側リブ４１、連結リブ４４が設けられている。
【００２８】
続いてランスハウジング５０について説明すると、ランスハウジング５０は、ハウジング本体２０の組付空間２８内に嵌合して組み付けられ、正規に組み付けられるに伴ってランスハウジングロック部３０によって抜け止めされるようになっている。詳しくはランスハウジング５０は、図８ないし図１１に示すように、ハウジング本体２０の前面（組付空間２８の奥面）に対向して配置され、組み付けに伴って小キャビティ２９と連通する端子挿入孔５１が開設された板状のランスハウジング本体５２と、端子挿入孔５１と対応する位置毎に設けられ、ランスハウジング本体５２の前面から前方へ突出する筒状のキャビティタワー部５３と、各キャビティタワー部５３の内側に位置してランスハウジング本体５２の前面から前方へ突出するランス２７と、ランスハウジング本体５２の上下両端から前方へ突出する板状のランスハウジングロック受部５４とを備えている。ランスハウジングロック受部５４にはロック爪５５が外向きに突設されており、このロック爪５５がハウジング本体２０のランスハウジングロック部３０を弾性係止することで、ランスハウジング５０の組付空間２８からの抜け止めがなされる。
【００２９】
キャビティタワー部５３は、前後方向に延出する水平板状の上壁部５６と、上壁部５６の両側縁から垂下される垂直板状の両側壁部５７と、上壁部５６の前端と両側壁部５７の前端とに連なって前面を塞ぐ前壁部５８とからなる。これら上壁部５６、両側壁部５７、及び前壁部５８によって区画される内側はランスハウジング本体５２側から連続する端子挿入孔５１とされ、ここにキャビティ２１側から雄端子金具９０が挿入可能となっている。キャビティタワー部５３の前端を構成する端子挿入孔５１の前面開口は、大キャビティ２６の前面開口と前後方向についてほぼ同じ位置に揃えられている。両側壁部５７の内面には雄端子金具９０の前倒れを防止する姿勢保持リブ５９が前後方向に延出して設けられ、この姿勢保持リブ５９に雄端子金具９０の側面が摺動することにより、雄端子金具９０が水平姿勢に保たれるようにしてある。そして、前壁部５８には雄端子金具９０のタブ９１を挿入可能なタブ挿入孔６０が前後に貫通して設けられ、このタブ挿入孔６０の内面が前壁部５８の後面に向かって拡開するテーパ状の誘い込み面６１となっている。
【００３０】
ランス２７は、キャビティタワー部５３の上壁部５６の内面と対向して配置され、ランスハウジング本体５２との付け根から端子挿入孔５１内に向かって突出する形態となっている。そして、ランス２７は、ランスハウジング本体５２との付け根を支点として上下方向に撓み変形可能となっており、下方に隣接する別のキャビティタワー部５３との間、及びハウジング本体２０の前面の下端部から前方に突出する板状の下側ステー部６２との間に、その撓み空間６３が形成されている。ランス２７の上面先端部には、端子挿入孔５１内に突出する係止突部６４が設けられている。ランス２７の幅寸法はキャビティタワー部５３の上壁部５６の幅寸法とほぼ同じとされ、小型であるが十分な強度が確保されるようにしてある。また、ランス２７の下面の幅方向中央部には係合突条６５が前後方向に延出して設けられ、その強度がより高められている。
【００３１】
ランスハウジング本体５２の側縁部には、ランスハウジング５０の方向識別性を生じさせる第一誤結防止リブ６６が立設されており、この第一誤結防止リブ６６がハウジング本体２０の前面に凹設された誤結防止リブ受部１９内に嵌合することにより、ランスハウジング５０のハウジング本体２０への誤組み付けが防止されるようになっている。  
ランスハウジング本体５２の幅方向中央部には、上下方向に三つの開口が設けられており、これら開口を挟んだ両側に、キャビティタワー部５３、及びランス２７が左右に分断して配置されている。各開口はランスハウジング本体５２の前面に突出する補強リブ６７を前後方向に貫通する形態とされ、このうち、上下に位置する開口はリテーナ７０の補助突部７４（後述する）が挿通可能な補助受孔６８とされ、中央に位置する開口はリテーナ７０の突部７５（後述する）が挿通可能な受孔６９とされる。補助受孔６８は縦長方形に開口する形態であり、受孔６９は挿入孔３１と対応する十字形に開口する形態であってハウジング本体２０への組み付けに伴って挿入孔３１と整合するようになっている。
【００３２】
続いてリテーナ７０について説明する。リテーナ７０はランスハウジング５０の前面に対向して配置され、図１２ないし図１６に示すように、ランスハウジング５０への組み付けに伴ってキャビティタワー部５３及びランス２７を個別に嵌合可能な複数の嵌合窓７１を有する板状のリテーナ本体７２（リテーナ７０の本体部分）を備えている。さらにリテーナ７０は、リテーナ本体７２の前面から前方に突出する嵌合リブ７３（リブ）と、リテーナ本体７２の後面の幅方向中央部から後方に突出する補助突部７４及び突部７５と、リテーナ本体７２の後面周縁から後方へ突出して設けられ、組み付けに伴ってランスハウジングロック受部５４の内面及びキャビティタワー部５３の側面に摺接嵌合可能なスライド板部７６とを備えている。
【００３３】
スライド板部７６は、組み付けによってハウジング本体２０の組付空間２８の内面とランスハウジング５０の外面との間に挟まれて摺動可能となっている。スライド板部７６の側縁には、リテーナ７０の方向識別性を生じさせる第二誤結防止リブ７７が立設されており、この第二誤結防止リブ７７が第一誤結防止リブ６６と合わさってハウジング本体２０の誤結防止リブ受部１９内に嵌合することにより、リテーナ７０のハウジング本体２０への誤組み付けが防止されるようになっている。
【００３４】
嵌合窓７１は、キャビティタワー部５３を個別に嵌合可能であって、リテーナ本体７２の後面から格子状に突出する格子部８８に画成され、ランスハウジング５０への正規組み付け状態では、キャビティタワー部５３の前面が嵌合窓７１の前面と前後方向について同じ位置に配置され、端子挿入孔５１の前面がリテーナ本体７２の前端に臨むようになっている。嵌合窓７１の側縁には、ランスハウジング５０の各ランス２７と対応する位置毎に、上記正規の組み付け状態においてランス２７の撓み空間６３内に進入する端子係止部７８が設けられている。端子係止部７８の幅方向中央部には後方に開放されてランス２７の係合突条６５を逃がす係合溝７９が切り欠いて設けられ、この係合溝７９内に係合突条６５が嵌合することにより、ランス２７の幅方向への遊動が規制可能となっている。
【００３５】
嵌合リブ７３は、リテーナ本体７２の前面の幅方向中央に位置して断面縦長の十字形をなす第一嵌合リブ８０と、リテーナ本体７２の前面の右側に位置して断面横長の上向き突形をなす第二嵌合リブ８１と、リテーナ本体７２の前面の左側に位置して断面横長の十字形をなす第三嵌合リブ８２とからなる。これら第一嵌合リブ８０、第二嵌合リブ８１、第三嵌合リブ８２は、嵌合窓７１の設けられていないデッドスペースに配置され、このデッドスペースの形状に沿った形状をなしている。かかる嵌合リブ７３は、相手側の雌コネクタ１００との嵌合に伴い、雌コネクタ１００に設けられた嵌合リブ受部（図示せず）内に進入してその嵌合動作を案内するとともに、雌コネクタ１００が正規嵌合姿勢をとっていない場合に、雌コネクタ１００の前面に突き当たって両コネクタ１０，１００の誤嵌合を防止する役割を担っている。
【００３６】
補助突部７４は、ランスハウジング５０の補助受孔６８への挿入によってその先端が補助受孔６８の後端に至る突出長さを有する一方、突部７５は、ランスハウジング５０の受孔６９への挿入によって受孔６９を貫通するとともにその先端がハウジング本体２０の挿入孔３１に挿入される突出長さを有する形態となっている。補助突部７４は、断面方形枠状をなし、その内部に、後面に開口する中空部８３が肉抜きされている。
【００３７】
突部７５は、受孔６９及び挿入孔３１に適合する断面十字形をなし、リテーナ本体７２を挟んで第一嵌合リブ８０とは背合せの位置関係にある。詳しくは突部７５は、補助突部７４及びスライド板部７６より数倍大きい突出量をもって後方へ細長く延出され、上下方向に長く延びる縦リブ８４と、幅方向に短く延びる横リブ８５とからなり、この縦リブ８４と横リブ８５が上下方向中央より少し上方で互いに略直角に交差連通している。また、突部７５の先端面の周縁は、全周に亘ってテーパ面８６が切り欠いて設けられ、受孔６９及び挿入孔３１への挿入が円滑になされるようにしてある。
【００３８】
次に、本実施形態における雄コネクタ１０の作用を説明する。  
ハウジング本体２０を成形するにあたり、図示しないゲートから溶融樹脂を射出する。すると、溶融樹脂が周壁部３６から外側リブ４１を通ってシールタワー部３５側へ流動する。外側リブ４１ではテーパ部４５によって周壁部３６側への誘い込みが形成されているため、溶融樹脂はシールタワー部３５側へスムーズに流れる。また、溶融樹脂は、別の経路として幹線リブ４２を通り内側リブ４３を経てシールタワー部３５側へスムーズに流れる。本実施形態においては、このようなリブ３７の存在によってシールタワー部３５の厚さが薄いという事情があっても、成形不良の発生率が小さく抑えられている。
【００３９】
次いで組み付けにあたり、ハウジング本体２０の組付空間２８内にランスハウジング５０を嵌め入れ、ランスハウジングロック部３０とランスハウジングロック受部５４との弾性係止によってハウジング本体２０内にランスハウジング５０を抜け止め係止する。すると、ランスハウジング５０の第一誤結防止リブ６６が誤結防止リブ受部１９内に嵌合するとともに、ランスハウジング５０の受孔６９が挿入孔３１内に整合状態で嵌合する。この状態で、キャビティ２１内に後方から雄端子金具９０を挿入する。すると、大型の雄端子金具９０は大キャビティ２６のランス２７によって抜け止め係止されるとともに、その先端部におけるタブ９１がフード部２３内に突出状態で配置される。また、小型の雄端子金具９０は、キャビティ２１と端子挿入孔５１とに跨って配置され、端子挿入孔５１のランス２７によって抜け止め係止されるとともに、その先端部におけるタブ９１がタブ挿入孔６０を通してフード部２３内に突出状態で配置される。雄端子金具９０の装着に伴い、電線９５の端末に嵌着されたシール栓９６がシールタワー部３５内に収容され、シール栓９６の内周面が電線９５の外周面に密着するとともにシール栓９６の外周面がシールタワー部３５の内周面に密着する。
【００４０】
上記した雄端子金具９０を装着する間、必要に応じて、リテーナ７０をランスハウジング５０の前面に配置して仮係止状態で留め置く。この仮係止状態では、図５に示すように、リテーナ７０の端子係止部７８がランス２７の撓み空間６３内に非進入とされる前方位置に配置されることにより、ランス２７の撓み動作が許容され、もって雄端子金具９０の挿入動作が担保される。  
またリテーナ７０をランスハウジング５０の前面に組み付けると、図４に示すように、リテーナ本体７２がランスハウジング本体５２の前面を覆うとともにリテーナ本体７２の嵌合窓７１内にキャビティタワー部５３が嵌合し、かつ、突部７５が受孔６９内に整合状態で嵌合する。リテーナ７０の組み付け過程では、突部７５と受孔６９の形状が十字形であることに起因し、リテーナ７０がランスハウジング５０に対して軸周りに揺動するのを回避可能とされる。
【００４１】
続いて、図６に示すように、リテーナ７０をフード部２３内に深く押し込んで正規組み付け状態（本係止状態）に至らす。すると、端子係止部７８がランス２７の撓み空間６３内に進入してランス２７の撓み動作が規制され、雄端子金具９０が実質的に二重係止される。また、リテーナ７０の第二誤結防止リブ７７が誤結防止リブ受部１９内に正規深さで嵌合するとともに、突部７５が受孔６９から挿入孔３１内に正規深さで挿入され、もってランスハウジング５０及びハウジング本体２０に対するリテーナ７０の位置決めがなされる。この場合、リテーナ７０の押し込み操作は、仮係止状態においてフード部２３の前面から突出する嵌合リブ７３の先端を押圧することで円滑になされる。その後は、フード部２３内に相手側の雌コネクタ１００の雌コネクタハウジング１０１が嵌合リブ７３によって案内されつつ嵌合され、両コネクタ間で導通がとられるようになっている。
【００４２】
以上説明したように本実施形態によれば、次の効果を奏し得る。  
リテーナ７０に突部７５が設けられ、ランスハウジング５０に受孔６９が設けられており、受孔６９内に突部７５が挿入されることにより、ランスハウジング５０がリテーナ７０に対して位置決めされるから、ランスハウジング５０とリテーナ７０の双方の位置関係が正確に定まり、端子係止部７８がランス２７の撓み空間６３内へ進入可能な位置から位置ずれするのを防止できる。その結果、リテーナ７０の本来的機能を正しく発揮させることができる。
【００４３】
また、突部７５がランスハウジング５０を貫通し、突部７５の先端部が挿入孔３１内に嵌合されるから、ランスハウジング５０及びハウジング本体２０と、突部７５との係合代が増えて、リテーナ７０のがた付きが抑えられる。これにより、リテーナ７０、ランスハウジング５０、ハウジング本体２０の三点が正規の位置に位置決めされる。
しかも、リテーナ７０が仮係止状態のときにも突部７５の先端部が挿入孔３１内に嵌合されるから、リテーナ７０は常時がた付きなく安定に保持される。そして、リテーナ７０が仮係止状態から正規組み付け状態に移動するときに、突部７５が挿入孔３１の孔縁に引っ掛かりを生じすることがなく、突部７５の円滑な挿入動作が担保される。
【００４４】
また、突部７５がリテーナ本体７２の後面の中央部に一つだけ設けられているから、突部７５がリテーナ本体７２の後面の広い範囲に亘って設けられている場合に比べ、リテーナ７０の有効スペースが減少するのを必要最小限にくい止めることができる。また、突部７５が断面十字形をなすことにより、強度を確保できるとともに、高さ方向及び幅方向のがたを確実に抑えることができ、突部７５の軸周りにランスハウジング５０が揺動するのを阻止できる。
【００４５】
また、外側リブ４１が周壁部３６との連結部位で太く形成されているため、シールタワー部３５側に樹脂が流れ易くなり、成形不良を防止できる。一方、外側リブ４１がシールタワー部３５との連結部位で細く形成されているため、シールタワー部３５が成形によってひけるのを回避できる。  
また、外側リブ４１が周壁部３６及び小シールタワー部３８の前後長さの全長に亘って設けられているから、樹脂流動性がより向上する。
【００４６】
また、外側リブ４１が周壁部３６からシールタワー部３５に向かって先細りとなるテーパ部４５を備えているから、樹脂のシールタワー部３５への誘い込みが構成され、樹脂流動性がよりいっそう向上する。しかも、外側リブ４１がテーパ部４５の先端からシールタワー部３５にかけて直線状に延びるストレート部４６を備えているから、シールタワー部３５が成形によってひけるのを確実に回避できる。  
また、シールタワー部３５の厚さが外側リブ４１の最小径より小さいから、シールタワー部３５がひけるのをより確実に回避できる。
【００４７】
また、各シールタワー部３５を上下方向で二分割する幹線リブ４２の外面とシールタワー部３５の外面との間に、内側リブ４３が架設されているから、上下方向で二分割された各シールタワー間に内側リブ４３が直接橋渡しされる場合に比べ、内側リブ４３の長さを短くでき、樹脂流動性がさらに良好となる。
【００４８】
しかも、隣接するシールタワー部３５同士が連結リブ４４によって互いに連結されているから、隣接するシールタワー部３５の強度を保つことができる。一方、連結リブ４４は、隣接するシールタワー部３５の円中心を結ぶ直線上に位置しているから、連結リブ４４とシールタワー部３５との連結代が必要以上に大きくなることがなく、シールタワー部３５が成形によってひけるのをよりいっそう確実に回避できる。
【００４９】
＜他の実施形態＞
本発明は上記記述及び図面によって説明した実施形態に限定されるものではなく、例えば次のような実施形態も本発明の技術的範囲に含まれる。  
（１）突部はリテーナの任意位置から複数突出する形態であってもよい。  
（２）突部は、ランスハウジングのリテーナへの位置決めが可能な形状であればよく、例えば、断面多角形状であってもよい。  
（３）突部は、ランスハウジングの受孔内に嵌合するのみであってハウジング本体とは非係合とされてもよい。  
（４）突部は、幅方向に延びる部分と高さ方向に延びる部分とを有し（例えば、十字形、Ｔ字形、Ｌ字形、また両部分が交差点を有しないものも含む）、この突部がリテーナ本体を挟んで嵌合リブと背中合わせとなる位置に設けられているとよい。スペースの有効活用を図れるからである。
（５）ランスハウジングとハウジング本体は雌端子金具を収容する雌コネクタに設けられていてもよい。  
（６）シールタワー部の厚さは外側リブの最小径と同じであってもよい。  
（７）外側リブと周壁部の連結部位は、外側リブとシールタワー部の連結部より太くなっていればよく、必ずしも、テーパ状に形成されていなくてもよい。  
（８）外側リブとシールタワー部の連結部位は、外側リブと周壁部の連結部位より細くなっていればよく、必ずしも、ストレート状に形成されていなくてもよい。
（９）周壁部、シールタワー部は一部に切れ目を有して断続的に連なる形態であってもよい。
（１０）実施形態１では、一本の幹線リブが複数のシールタワー部を高さ方向で二分割するものであったが、幹線リブの形態はこれに限るものではない。例えば、複数本の幹線リブが複数のシールタワー部を高さ方向で複数に分割するものであってもよい。また、一本または複数本の幹線リブが複数のシールタワー部を幅方向で二分割または複数に分割するものであってもよい。また、一本の幹線リブが高さ方向に延び、一本の幹線リブが幅方向に延びることで、複数のシールタワー部を四分割するものであってもよい。さらに、幹線リブが高さ方向及び幅方向に対して傾きをもって延びる形態であってもよい。
【図面の簡単な説明】
【００５０】
【図１】本発明の実施形態１において、ハウジング本体にランスハウジングとリテーナを組み付けたときの正面図
【図２】ハウジング本体の正面図
【図３】ハウジング本体の背面図
【図４】ハウジング本体とランスハウジングにリテーナを組み付けたときの横断面図
【図５】図１のＡ−Ａ断面図
【図６】ハウジング本体とランスハウジングにリテーナを正規に組み付けたときの横断面図
【図７】ハウジング本体の側断面図
【図８】ランスハウジングの正面図
【図９】ランスハウジングの背面図
【図１０】ランスハウジングの側断面図
【図１１】図１０の要部拡大図
【図１２】リテーナの背面図
【図１３】リテーナの正面図
【図１４】リテーナの底面図
【図１５】リテーナの側面図
【図１６】リテーナの側断面図
【図１７】雌コネクタハウジングの背面図
【符号の説明】
【００５１】
１０…雄コネクタ（コネクタ）
２０…ハウジング本体
２１…キャビティ
２７…ランス
３１…挿入孔
３５…シールタワー部（内壁部）
３６…周壁部（外壁部）
４１…外側リブ
４２…幹線リブ
４３…内側リブ
４４…連結リブ
５０…ランスハウジング
５１…端子挿入孔
６９…受孔
７０…リテーナ
７２…リテーナ本体
７５…突部
９０…雄端子金具
１００…雌コネクタ（相手コネクタ）
【図１】
0004924454.tif 000002
【図２】
0004924454.tif 000003
【図３】
0004924454.tif 000004
【図４】
0004924454.tif 000005
【図５】
0004924454.tif 000006
【図６】
0004924454.tif 000007
【図７】
0004924454.tif 000008
【図８】
0004924454.tif 000009
【図９】
0004924454.tif 000010
【図１０】
0004924454.tif 000011
【図１１】
0004924454.tif 000012
【図１２】
0004924454.tif 000013
【図１３】
0004924454.tif 000014
【図１４】
0004924454.tif 000015
【図１５】
0004924454.tif 000016
【図１６】
0004924454.tif 000017
【図１７】
0004924454.tif 000018